(57)【特許請求の範囲】
【請求項１】
通信網を通じた音声通話を実行可能に構成された車載電話機と、
外部の携帯電話機との間で通信を行う通信手段と、
前記車載電話機を用いたハンズフリー通話および前記通信手段を介して前記外部の携帯電話機を用いたハンズフリー通話を実行するハンズフリー手段と、
ユーザの操作によって読み出されて登録されている電話番号への発信動作に利用可能であるとともに、当該外部の携帯電話機を用いたハンズフリー通話の際にも利用可能な第１電話帳データが記憶される第１電話帳記憶手段と、
ユーザの操作によって読み出されて登録されている電話番号への発信動作に利用可能であるとともに、当該車載電話機を用いたハンズフリー通話の際にも利用可能な第２電話帳データが記憶される第２電話帳記憶手段と、
前記通信手段を介して前記外部の携帯電話機に記憶されている電話帳データを取得し、その取得した電話帳データを前記第１電話帳データとして前記第１電話帳記憶手段に記憶する第１電話帳管理手段と、
ユーザによる操作を受け付ける操作受付手段と、
前記操作受付手段により第１電話帳データの利用を許可する利用許可操作が受け付けられると、前記第１電話帳記憶手段に記憶されている前記第１電話帳データをコピーしたデータを前記第２電話帳データとして前記第２電話帳記憶手段に記憶する第２電話帳管理手段とを備えていることを特徴とする車載機。
【請求項２】
前記第２電話帳管理手段は、
前記操作受付手段により電話帳編集操作が受け付けられると、その電話帳編集操作に応じて、前記第２電話帳記憶手段に記憶されている前記第２電話帳データを編集することを特徴とする請求項１に記載の車載機。
【請求項３】
前記第２電話帳管理手段は、
複数の前記携帯電話機のそれぞれに対応する複数の前記第１電話帳データが前記第１電話帳記憶手段に記憶されている場合、それら複数の第１電話帳データのうち、前記利用許可操作により利用が許可されたものを前記第２電話帳データとして前記第２電話帳記憶手段に記憶することを特徴とする請求項１または２に記載の車載機。
【請求項４】
前記第２電話帳管理手段は、
前記操作受付手段により電話帳編集操作が受け付けられると、その電話帳編集操作に応じて、前記第１電話帳記憶手段に記憶されている前記第１電話帳データを前記第２電話帳記憶手段に記憶されている前記第２電話帳データに追加することを特徴とする請求項１から３のいずれか一項に記載の車載機。
【発明の詳細な説明】
【技術分野】
【０００１】
本発明は、車載電話機を用いたハンズフリー通話および通信手段を介して接続された外部の携帯電話機を用いたハンズフリー通話を実現するものであり、それら携帯電話機および車載電話機のそれぞれに対応する電話帳データを記憶する電話帳機能を備えた車載機に関する。
【背景技術】
【０００２】
従来、外部の携帯電話機との間において近距離無線通信などを行うことにより携帯電話機との接続を確立してハンズフリー通話を実現する機能を備えた車載機がある。そのような車載機には、車載電話機としての機能を備えたデータ通信モジュール（ＤＣＭ）が搭載されたものもある。このような構成の車載機が取り付けられた車両に対し、ユーザが携帯電話機を所持した状態で搭乗すると、その携帯電話機を用いたハンズフリー通話が可能になる。また、上記車両に対し、ユーザが携帯電話機を所持していない状態で搭乗した場合であっても、車載電話機を用いたハンズフリー通話が可能になる。そのため、上記構成の車載機には、接続される携帯電話機または車載電話機ごと、つまり使用する電話機ごとに互いに別々の電話帳データを記憶する電話帳機能が設けられている。
【０００３】
携帯電話機用の電話帳データに関しては、接続された携帯電話機の電話帳データを車載機に転送し、車載機側に記憶させるという方法がある（例えば、特許文献１参照）。この方法によれば、携帯電話機を用いたハンズフリー通話を行う際、その携帯電話機に保存されていた電話帳データと同一の電話帳データが利用できる。一方、車載電話機の電話帳データに関しては、車載機に設けられる操作部（例えば、タッチパネル上のタッチスイッチなど）に対し、ユーザが所定の入力操作を行うことにより、車載機側への電話帳データの登録（記憶）や、その登録した電話帳データの編集を行い得るようになっている。
【先行技術文献】
【特許文献】
【０００４】
【特許文献１】特開２００８−９８９８１号公報
【発明の概要】
【発明が解決しようとする課題】
【０００５】
上記したとおり、車載電話機用の電話帳データに関しては、ユーザによる入力操作（例えば、手入力など）により登録または編集するようになっている。そのため、例えば、登録または編集するデータの数が多い場合には、その際の入力操作が非常に手間となる。このようなことから、車載電話機用の電話帳データについて利便性の改善が望まれていた。
【０００６】
本発明は上記事情に鑑みてなされたものであり、その目的は、車載電話機に対応する電話帳データについての利便性を向上することができる車載機を提供することにある。
【課題を解決するための手段】
【０００７】
請求項１に記載した手段によれば、ハンズフリー手段は、車載電話機を用いたハンズフリー通話と、通信手段を介して外部の携帯電話機を用いたハンズフリー通話とを実行可能に構成されている。第１電話帳管理手段は、外部の携帯電話機に記憶されている電話帳データを、通信手段を介して取得し、その取得した電話帳データを第１電話帳データとして第１電話帳記憶手段に記憶する。これにより、第１電話帳記憶手段には、上記携帯電話機に保存されている電話帳データと同一のデータである第１電話帳データが記憶される。上記携帯電話機を用いたハンズフリー通話の際、第１電話帳記憶手段から第１電話帳データが読み出されることにより、ユーザは、所持している携帯電話機に記憶されているものと同一の電話帳データである第１電話帳データを利用することが可能となる。
【０００８】
第２電話帳管理手段は、ユーザによる操作を受け付ける操作受付手段により第１電話帳データの利用を許可する利用許可操作が受け付けられると、第１電話帳記憶手段に記憶されている第１電話帳データをコピーしたデータを第２電話帳データとして第２電話帳記憶手段に記憶する。これにより、第２電話帳記憶手段には、第１電話帳データと同一の第２電話帳データが記憶される。車載電話機を用いたハンズフリー通話の際、第２電話帳記憶手段から第２電話帳データが読み出されることにより、ユーザは、第１電話帳データと同一の電話帳データである第２電話帳データを利用することが可能となる。
【０００９】
上記構成によれば、ユーザの利用許可操作に応じて、外部の携帯電話機から取得した第１電話帳データが第２電話帳データとして第２電話帳記憶手段に転送される。従って、車載電話機用の第２電話帳データの登録作業が容易に行えるようになる。また、第２電話帳データのデータ数が多い場合であっても、ユーザは利用許可操作を行うだけでよく、その登録（記憶）作業は車載機側で自動的に行われるため、例えば手入力などの煩わしい操作を行う必要がない。このように、本手段によれば、車載電話機を用いたハンズフリー通話を行う際に利用する車載電話機に対応する電話帳データである第２電話帳データについての利便性が向上する。また、上記した電話帳データを転送する処理は、ユーザの利用許可操作が受け付けられない限り実行されない。そのため、第１電話帳データ、つまり携帯電話機に保存された電話帳データがむやみに利用可能な状態になることを防止でき、そのセキュリティを高めることができる。
【００１０】
請求項２に記載した手段によれば、第２電話帳管理手段は、操作受付手段により電話帳編集操作が受け付けられると、その電話帳編集操作に応じて、第２電話帳記憶手段に記憶されている第２電話帳データを編集する。このような構成によれば、転送された第２電話帳データを編集することができるため、その利便性が向上する。また、第２電話帳記憶手段に記憶された第２電話帳データは、第１電話帳データと同一の内容であるが、あくまでもコピーされたものである。そのため、第２電話帳データの内容について、第１電話帳データの内容に影響を及ぼすことなく、独立して編集（変更）することが可能となる。
【００１１】
請求項３に記載した手段によれば、第２電話帳管理手段は、複数の携帯電話機のそれぞれに対応する複数の第１電話帳データが第１電話帳記憶手段に記憶されている場合、それら複数の第１電話帳データのうち、利用許可操作により利用が許可されたものを、第２電話帳データとして第２電話帳記憶手段に記憶する。このような構成によれば、例えば車両のユーザが複数の携帯電話機を所持している場合や、同一の車両を複数のユーザにより共用する場合などにおいて、それら複数の携帯電話機のそれぞれ対応した電話帳データが車載電話機用の第２電話帳データとして利用することが可能となる。ただし、この場合も、電話帳データ転送処理は、ユーザの利用許可操作が受け付けられない限り実行されないため、各携帯電話機の電話帳データに関するセキュリティを高めることができる。
【図面の簡単な説明】
【００１２】
【図１】本発明の一実施形態を示すものであり、車載機の構成を示すブロック図
【図２】電話帳データ記憶領域の構成を模式的に示す図
【図３】電話帳データ転送処理に関するフローチャート
【図４】電話帳データ転送処理におけるパターン１、２の表示画面の遷移を示す図
【図５】電話帳データ転送処理におけるパターン３の表示画面の遷移を示す図
【図６】電話帳データ転送処理におけるパターン４の表示画面の遷移を示す図
【図７】利用可能フラグの変更に関する表示画面の一例を示す図
【図８】車載電話機の電話帳設定に関する表示画面の一例を示す図
【図９】車載電話機用の電話帳データとして利用可能な携帯電話機用の電話帳データを選択する際の表示画面の一例を示す図
【図１０】車載電話機用電話帳データの利用制限に関する表示画面の一例を示す図
【発明を実施するための形態】
【００１３】
以下、本発明の一実施形態について図面を参照しながら説明する。
図１は、車載電話機としての機能およびハンズフリー機能を備えた車載機の概略構成を示すブロック図である。車載機１は、例えば自動車などの車両に搭載されるものであり、ハンズフリー装置２、ディスプレイ装置３およびＤＣＭ（Data Communication Module、データ通信モジュール）４を備えている。ハンズフリー装置２は、制御部５、Ｂｌｕｅｔｏｏｔｈ（登録商標、以下ＢＴと称す）インターフェース部６、通話音声処理部７、記憶部８、表示制御部９およびタッチ操作入力部１０を備えている。
【００１４】
制御部５は、ＣＰＵ、ＲＯＭ、ＲＡＭなどを備えたマイクロコンピュータを主体に構成されており、ハンズフリー装置２の通信動作や電話帳データ管理動作などの動作全般を制御する。ＢＴインターフェース部６は、ＢＴの通信規格で標準化されているハンズフリー通信を行うためのＨＦＰ（Hands Free Profile）、ＢＴ通信規格で標準化されている電話帳データの転送を行うためのＰＢＡＰ（Phone Book Access Profile）およびＯＰＰ（Object Push Profile）などに対応している（機能を有している）。なお、これらプロファイルは、機能ごとに定義された通信プロトコルを意味している。
【００１５】
通話音声処理部７には、マイク１１およびオーディオアンプ１２が接続されている。マイク１１は、車室内にあって例えばステアリングホイールの近傍など、ユーザが発した音声を集音し易い部位に配置されている。オーディオアンプ１２は、ハンズフリー装置２の外部に配置されている。通話音声処理部７は、車室内に持ち込まれたＢＴ対応携帯電話機１３を用いたハンズフリー通信（通話）を行う場合に、ユーザが発した音声をマイク１１から送話音声として入力すると、その入力した送話音声を音声処理してＢＴインターフェース部６に出力する。また、通話音声処理部７は、ＢＴインターフェース部６から受話音声を入力すると、その入力した受話音声をオーディオアンプ１２に出力する。オーディオアンプ１２は、通話音声処理部７から受話音声を入力すると、その入力した受話音声を増幅してスピーカ１４、１５から出力する。スピーカ１４、１５は、例えば、運転席ドア、助手席ドアにそれぞれ配置されている。
【００１６】
記憶部８には、電話帳データ、発信履歴データ、着信履歴データ、不在着信履歴データなどを記憶可能な記憶領域が設けられている。電話帳データは、電話番号と登録名（氏名など）との対応を表すデータである。なお、電話帳データには、さらに他の情報（メールアドレス、生年月日など）を対応付けてもよい。発信履歴データは、後述するＤＣＭ４からの発信またはハンズフリー装置２との間でＨＦＰを接続中にあるＢＴ対応携帯電話機１３からの発信に係る発信時刻と発信電話番号との対応を表すデータである。着信履歴データは、ＤＣＭ４における応答した着信またはハンズフリー装置２との間でＨＦＰを接続中にあるＢＴ対応携帯電話機１３における応答した着信に係る着信時刻と着信電話番号との対応を表すデータである。不在着信履歴データは、ＤＣＭ４における応答しなかった着信またはハンズフリー装置２との間でＨＦＰを接続中にあるＢＴ対応携帯電話機１３における応答しなかった着信に係る着信時刻と着信電話番号との対応を表すデータである。
【００１７】
ディスプレイ装置３は、表示画面を表示する表示装置１６と、表示画面上にタッチスイッチを形成するタッチ操作入力装置１７とを備えている。ハンズフリー装置２の表示制御部９は、制御部５から表示指令信号を入力すると、その入力した表示指令信号に基づいてディスプレイ装置３における表示装置１６の表示動作を制御する。ハンズフリー装置２のタッチ操作入力部１０は、ユーザが表示画面上に形成されているタッチスイッチを操作したことに応じてタッチ操作入力装置１７から操作検知信号を入力すると、その操作検知信号を制御部５に出力する。ハンズフリー装置２の制御部５は、タッチ操作入力部１０から操作検知信号を入力すると、その操作検知信号を解析して所定の処理を実行する。本実施形態において、タッチ操作入力部１０は、ユーザによる操作を受け付ける操作受付手段に相当する。
【００１８】
ＤＣＭ４は、通信網１８を介した通信動作を自身に割り当てられた電話番号で行う機能を有している。なお、通信網１８は、携帯電話基地局や基地局制御装置等の周知の携帯通話サービスを提供する設備を含むものである。ＤＣＭ４は、通信網１８を利用した音声通話を、ハンズフリー装置２により行い得る構成となっている。すなわち、本実施形態では、ＤＣＭ４が車載電話機に相当する。そのため、以下では、ＤＣＭ４のことを車載電話機４と称する。
【００１９】
ＢＴ対応携帯電話機１３（以下、ＢＴ電話機１３と称す）は、詳細は図示しないが、自機の動作全般を制御する制御部、通信網１８を介した音声通話を行う通話部、ＢＴ通信を行うＢＴインターフェース部、ユーザが操作する各種キーが配列されてなるキー入力部、記憶部、各種表示画面を表示する表示部、ユーザが発した音声を入力するマイク、通話相手先から受信した音声を受話音声として出力するスピーカなどを備えている。上記記憶部には、電話帳データ、発信履歴データ、着信履歴データ、不在着信履歴データなどを記憶（保存）可能な記憶領域が設けられている。
【００２０】
ＢＴ電話機１３（携帯電話機に相当）のＢＴインターフェース部は、ハンズフリー装置２との間でＢＴ通信を行う機能を有している。ＢＴインターフェース部は、ＨＦＰに対応している。また、ＢＴインターフェース部は、ＰＢＡＰおよびＯＰＰの少なくとも一方に対応している。つまり、ＢＴ電話機１３は、ハンズフリー装置２に対して電話帳データを転送する機能を有している。
【００２１】
このように、本実施形態では、ハンズフリー装置２は、車載電話機４を用いたハンズフリー通話と、外部のＢＴ電話機１３を用いたハンズフリー通話とを実現するハンズフリー手段に相当する。また、ＢＴインターフェース部６は、外部のＢＴ電話機１３との間で通信を行う通信手段に相当する。
【００２２】
図２は、記憶部８における電話帳データを記憶するための電話帳データ記憶領域の構成を模式的に示している。図２に示すように、電話帳データ記憶領域２１には、接続されるＢＴ電話機１３のそれぞれに対応する電話帳データ（第１電話帳データに相当）を記憶（保存）可能なＢＴ電話機用電話帳データ記憶領域２２（第１電話帳記憶手段に相当）が確保されている。ＢＴ電話機用電話帳データ記憶領域２２は、ハンズフリー通話を行う対象として登録されたＢＴ電話機１３が複数存在する場合、それら複数のＢＴ電話機１３のそれぞれに対応した複数の記憶領域が設けられる。ＢＴ電話機用電話帳データ記憶領域２２に記憶される電話帳データは、対応するＢＴ電話機１３を使用する際に利用可能となる。ＢＴ電話機用電話帳データ記憶領域２２に対する電話帳データの記憶（書き込み）は、制御部５により実行される。その記憶方法としては、ＢＴ電話機１３からの電話帳データの転送（ＰＢＡＰまたはＯＰＰ）による方法と、ユーザが所定の操作を行うことにより作成または編集された電話帳データを記憶する方法とがある。
【００２３】
また、電話帳データ記憶領域２１には、車載電話機４に対応する電話帳データ（第２電話帳データに相当）を記憶可能な車載電話機用電話帳データ記憶領域２３（第２電話帳記憶手段に相当）が確保されている。車載電話機用電話帳データ記憶領域２３に記憶される電話帳データは、車載電話機４を使用する際に利用可能となる。車載電話機用電話帳データ記憶領域２３に対する電話帳データの記憶（書き込み）は、制御部５により実行される。その記憶方法としては、ユーザが所定の操作を行うことにより作成または編集された電話帳データを記憶する方法と、ＢＴ電話機用電話帳データ記憶領域２２からの電話帳データの転送による方法とがある。後者の方法は、詳細は後述するが、ユーザによる利用許可操作が行われた場合に限り、ＢＴ電話機用電話帳データ記憶領域２２に記憶されている電話帳データ（のコピー）が車載電話機用電話帳データ記憶領域２３に転送されるというものである。
【００２４】
このように、本実施形態において、制御部５は、ＢＴインターフェース部６を介して外部のＢＴ電話機１３に記憶されている電話帳データを取得し、その電話帳データをＢＴ電話機用電話帳データ記憶領域２２に記憶する第１電話帳管理手段に相当する。また、制御部５は、ＢＴ電話機用電話帳データ記憶領域２２に記憶されている電話帳データをコピーしたデータを車載電話機用電話帳データ記憶領域２３に記憶する第２電話帳管理手段に相当する。ユーザは、このようにして記憶された電話帳データを利用することにより、電話番号を直接入力することなく登録名を選択することで通話相手先への発信動作を簡単且つ迅速に行うことが可能である。
【００２５】
次に、上記構成の作用、特に車載機１の電話帳機能（電話帳データの管理方法）に関連する作用について図３〜図１０も参照して説明する。
まず、ＢＴ電話機１３をハンズフリー通話の対象（使用対象）とした場合における電話帳機能について説明する。図３は、制御部５を主体として実行される電話帳データ転送処理を示すフローチャートである。図４〜図７は、電話帳機能に関する画面の表示例を示すものであり、ディスプレイ装置３の表示装置１６により表示される表示画面およびタッチ操作入力装置１７により形成されるタッチスイッチを示している。ユーザがＢＴ電話機１３を所持した状態で車両に搭乗すると、ハンズフリー装置２とＢＴ電話機１３との接続が確立される。その後、ユーザにより所定の操作が行われることにより、ハンズフリー装置２においてハンズフリー通信（通話）を行う対象として、ユーザが所持したＢＴ電話機１３が登録される。図３に示す電話帳データ転送処理は、そのような登録が完了した後であり、且つ、ハンズフリー装置２と上記ＢＴ電話機１３とが接続された状態で、上記ＢＴ電話機１３の電話帳機能が利用される際に実行される。
【００２６】
図３に示す電話帳データ転送処理が実行される場合、電話帳データ記憶領域２１における電話帳データの記憶状況により以下のパターン１〜４の動作に分けられる。すなわち、パターン１は、接続されたＢＴ電話機１３に対応するＢＴ電話機用電話帳データ記憶領域２２および車載電話機用電話帳データ記憶領域２３のいずれにも電話帳データが存在しない場合である。パターン２は、接続されたＢＴ電話機１３に対応するＢＴ電話機用電話帳データ記憶領域２２に電話帳データが存在しない場合であり、且つ、車載電話機用電話帳データ記憶領域２３に電話帳データが存在する場合である。パターン３は、接続されたＢＴ電話機１３に対応するＢＴ電話機用電話帳データ記憶領域２２に電話帳データが存在する場合であり、且つ、車載電話機用電話帳データ記憶領域２３に電話帳データが存在しない場合である。パターン４は、接続されたＢＴ電話機１３に対応するＢＴ電話機用電話帳データ記憶領域２２および車載電話機用電話帳データ記憶領域２３のいずれにも電話帳データが存在する場合である。
【００２７】
（１）パターン１、２
図４は、パターン１、２における表示画面の遷移を示している。以下、図３および図４を参照してパターン１、２における電話帳データ転送処理について説明する。なお、図４（ａ）は、ハンズフリー機能に関するトップ画面に相当する。そのトップ画面には、電話機名表示欄３１、発信先表示欄３２などが表示されるとともに、タッチスイッチとして、キー入力部３３、［電話帳］ボタン３４、［接続］ボタン３５、［発信］ボタン３６、［戻る］ボタン３７などが設けられている。
【００２８】
電話機名表示欄３１には、現在使用対象としている電話機を示す文字が表示される。すなわち、接続されたＢＴ携帯電話機１３を使用対象とする場合、その機種名「○○○」が表示され、車載電話機４を使用対象とする場合、「車載電話機」と表示される。発信先表示欄３２には、発信先の電話番号が表示される。キー入力部３３は、各種キーが配列されてなるものであり、発信先の電話番号を入力する際や、電話帳データを手入力（マニュアル）で作成する際などに用いられる。［電話帳］ボタン３４は、電話帳機能を利用するためのものである。［接続］ボタン３５は、使用対象とする電話機の切り替えを行うためのものである。［発信］ボタン３６は、発信先表示欄３２に表示されている電話番号への発信を開始するためのものである。［戻る］ボタン３７は、表示画面を一つ前の画面に戻すためのものである。
【００２９】
［電話帳］ボタン３４がタッチされると、図３に示す電話帳データ転送処理が開始される（スタート）。ステップＳ１では、接続されたＢＴ電話機１３に対応するＢＴ電話機用電話帳データ記憶領域２２に電話帳データが存在するか否かが判断される。この場合、ＢＴ電話機用電話帳データ記憶領域２２に電話帳データが存在しない。つまり、電話帳データが空であるため（ステップＳ１で「ＹＥＳ」）、ステップＳ２に進む。ステップＳ２に進むと、ＢＴ電話機１３に保存されている電話帳データをハンズフリー装置２に転送してもよいか否かをユーザに確認するメッセージが表示される（図４（ｂ）参照）。ここで、［いいえ］が選択された場合（ステップＳ２で「ＮＯ」）、電話帳データが転送されることなく処理が終了する（エンド）。一方、［はい］が選択された場合（ステップＳ２で「ＹＥＳ」）、ステップＳ３に進む。
【００３０】
ステップＳ３に進むと、ＢＴ電話機１３からＢＴ電話機用電話帳データ記憶領域２２に電話帳データが転送される。その際、電話帳データの転送中である旨を示す画面表示がなされる（図４（ｃ）参照）。電話帳データの転送が終了すると、ステップＳ４に進む。ステップＳ４に進むと、さきほど転送したＢＴ電話機１３用の電話帳データを車載電話機４使用時にも利用可能にしてもよいか否かをユーザに確認するメッセージが表示される（図４（ｄ）参照）。ここで、［はい］が選択された場合（ステップＳ４で「ＹＥＳ」）、ステップＳ５に進む。
【００３１】
ステップＳ５では、後述する利用可能フラグが「１」に設定され、ステップＳ７に進む。ステップＳ７では、車載電話機用電話帳データ記憶領域２３に電話帳データが存在するか否かが判断される。パターン１の場合、車載電話機用電話帳データ記憶領域２３に電話帳データが存在しない。つまり、電話帳データが空であるため（ステップＳ７で「ＹＥＳ」）、ステップＳ８に進む。ステップＳ８に進むと、ＢＴ電話機用電話帳データ記憶領域２２に記憶された電話帳データが車載電話機用電話帳データ記憶領域２３に転送（コピー）される。これに対し、パターン２の場合、車載電話機用電話帳データ記憶領域２３に電話帳データが存在する。つまり、電話帳データが空ではないため（ステップＳ７で「ＮＯ」）、ステップＳ８が実行されることなく、ステップＳ９に進む。
【００３２】
一方、図４（ｄ）の表示画面において［いいえ］が選択された場合（ステップＳ４で「ＮＯ」）、ステップＳ６に進む。ステップＳ６では、利用可能フラグが「０」に設定され、ステップＳ９に進む。ステップＳ９に進むと、ＢＴ電話機用電話帳データ記憶領域２２に記憶されている電話帳データの一覧が表示され（図４（ｅ）参照）、処理が終了する（エンド）。電話帳データの一覧には、登録名が５０音順に表示されている。ユーザは、ＢＴ電話機１３を使用対象とする際、上記一覧から所望の登録名をタッチ操作により選択するだけで、その登録名に対応付けられた電話番号への発信動作を行い得るようになる。
【００３３】
（２）パターン３
図５は、パターン３における表示画面の遷移を示している。以下、図３および図５を参照してパターン３における電話帳データ転送処理について説明する。なお、図５において、（ａ）は図４（ａ）に相当し、（ｂ）は図４（ｄ）に相当し、（ｃ）は図４（ｅ）に相当する。
【００３４】
［電話帳］ボタン３４がタッチされると、図３に示す電話帳データ転送処理が開始される（スタート）。この場合、ＢＴ電話機用電話帳データ記憶領域２２に電話帳データが存在する。つまり、電話帳データが空ではないため（ステップＳ１で「ＮＯ」）、ステップＳ２、Ｓ３が実行されることなくステップＳ４に進む。ステップＳ４以降の処理については、パターン１と同じであるため、説明を省略する。
【００３５】
（３）パターン４
図６は、パターン４における表示画面の遷移を示している。以下、図３および図６を参照してパターン４における電話帳データ転送処理について説明する。なお、図６において、（ａ）は図４（ａ）に相当し、（ｂ）は図４（ｅ）に相当する。
【００３６】
［電話帳］ボタン３４がタッチされると、図３に示す電話帳データ転送処理が開始される（スタート）。この場合、パターン３と同様、ＢＴ電話機用電話帳データ２２が空ではないため（ステップＳ１で「ＮＯ」）、ステップＳ２、Ｓ３が実行されることなくステップＳ４に進む。そして、ステップＳ４以降の処理については、パターン２と同様であるため、説明を省略する。
【００３７】
図３に示す電話帳データ転送処理においては、利用可能フラグが「１」に設定された場合に限り、ＢＴ電話機用電話帳データ記憶領域２２に記憶された電話帳データが、車載電話機用電話帳データ記憶領域２３に転送され、車載電話機４用の電話帳データとして使用可能になる。すなわち、本実施形態では、利用可能フラグが「１」に設定される操作が、ＢＴ電話機用電話帳データ記憶領域２２に記憶された電話帳データの利用を許可する利用許可操作に相当する。しかし、当初は利用可能フラグを「０」に設定したものの、後からその設定を変更したいとユーザが考える場合も想定される。そこで、本実施形態では、以下のようにして利用可能フラグの変更を可能にしている。ただし、以下の操作は利用可能フラグの設定変更を行うためだけのものであり、以下の操作だけでＢＴ電話機１３用の電話帳データが車載電話機４用の電話帳データとして利用可能になるわけではない。実際に利用可能にするためには、後述する車載電話機４用の電話帳設定においての操作が必要となる。
【００３８】
図７は、利用可能フラグを変更する際における表示画面の遷移を表している。なお、図７では、利用可能フラグの設定変更に関連するもの以外の図示を省略している。ＢＴ電話機１３を接続した状態において、図示しないメニュー画面から所定の操作が行われることにより、そのＢＴ電話機１３に対応した各種設定を行うための設定画面が表示される（図７（ａ）参照）。その設定画面において、［電話帳設定］ボタン４１がタッチされると、ＢＴ電話機１３の電話帳に関する設定画面である電話帳設定画面が表示される（図７（ｂ）参照）。
【００３９】
図７（ｂ）において、［車載電話機の電話帳として利用］ボタン４２がタッチされると、図７（ｃ）のような画面表示となる。このとき、［する］がタッチされると、利用可能フラグが「１」に設定され、［しない］がタッチされると、利用可能フラグが「０」に設定される。その後、再び図７（ｂ）の画面表示に戻り、［完了］ボタン４３がタッチされると、上記変更が行われた状態で図７（ａ）の画面表示に戻る。一方、［戻る］ボタン４４がタッチされると、上記変更がキャンセルされた状態で図７（ａ）の画面表示に戻る。［初期化］ボタン４５がタッチされると、利用可能フラグの設定が初期状態に戻る。
【００４０】
続いて、車載電話機４をハンズフリー通話の対象（使用対象）とした場合における電話帳機能について説明する。図８〜図１０は、図４〜図７と同様、電話帳機能に関する画面の表示例を示すものである。図８（ａ）は、図４（ａ）と同様、ハンズフリー機能に関するトップ画面に相当する。車載電話機４を使用対象とした状態において、車載電話機用電話帳データ記憶領域２３が空である場合、［電話帳］ボタン３４がタッチされると、車載電話機４の電話帳に関する設定画面（図８（ｂ）参照）が表示される。図８（ｂ）に示すような設定画面（操作リスト）には、［電話帳作成］ボタン５１、［電話帳編集］ボタン５２、［電話帳利用設定］ボタン５３などがある。
【００４１】
［電話帳作成］ボタン５１は、新たに電話帳データを作成（登録）する際に用いられる。［電話帳作成］ボタン５１がタッチされると、図示しない電話帳作成画面が表示される。その電話帳作成画面において、ユーザにより所定の電話帳作成操作が行われると、その操作に応じた電話帳データが作成される。その作成された電話帳データは、車載電話機用電話帳データ記憶領域２３に記憶される。
【００４２】
また、［電話帳編集］ボタン５２は、電話帳データを編集する際に用いられる。［電話帳編集］ボタン５２がタッチされると、図示しない電話帳編集画面が表示される。その電話帳編集画面において、ユーザにより所定の電話帳編集操作が行われると、その操作に応じて車載電話機用電話帳データ記憶領域２３に記憶された電話帳データが編集（変更）される。なお、上記電話帳データの作成、編集および記憶は、制御部５を主体として実行される。また、［電話帳利用設定］ボタン５３の用途については後述する。
【００４３】
一方、車載電話機４を使用対象とした状態において、車載電話機用電話帳データ記憶領域２３が空ではなく、既に何らかの電話帳データが記憶されている場合、［電話帳］ボタン３４がタッチされると、電話帳データの一覧が表示される（図４（ｅ）など参照）。ここで表示される電話帳データの一覧は、車載電話機用電話帳データ記憶領域２３に記憶されているものである。つまり、ここでは、前述した電話帳データ転送処理によりＢＴ電話機用電話帳データ記憶領域２２から転送された電話帳データや、ユーザの操作により作成または編集された電話帳データなどの一覧が表示される。ユーザは、車載電話機４を使用対象とする際、上記一覧から所望の登録名をタッチ操作により選択するだけで、その登録名に対応付けられた電話番号への発信動作を行い得るようになる。
【００４４】
さて、図３に示した電話帳データ転送処理において、ＢＴ電話機１３用の電話帳データを車載電話機用電話帳データ記憶領域２３に転送しなかった場合でも、次のような操作を行うことにより、上記電話帳データの転送を行うことが可能である。ただし、少なくとも、１つのＢＴ電話機１３に対応する利用可能フラグが「１」に設定されている必要がある。図９は、ＢＴ電話機用電話帳データ記憶領域２２に記憶されている電話帳データを車載電話機用電話帳データ記憶領域２３に転送する際における表示画面の遷移を示している。
【００４５】
図９（ａ）は、車載電話機４の電話帳に関する設定画面であり、図８（ｂ）相当図である。図９（ａ）は、図示しないメニュー画面から所定の操作を行うことなどによっても表示可能である。なお、図９では、電話帳データの転送に関連するもの以外の図示を省略している。ここで、［電話帳利用設定］ボタン５３がタッチされると、車載電話機４用の電話帳データとして利用するＢＴ電話機１３用の電話帳データを選択する画面が表示される（図９（ｂ）参照）。なお、ハンズフリー装置２に登録されているＢＴ電話機１３の全てについて、利用可能フラグが「０」に設定されている場合、上記した［電話帳利用設定］ボタン５３はトーンダウン（無効化）され、選択することができない。図９（ｂ）においては、利用可能フラグが「１」に設定されているＢＴ電話機１３に対応する電話帳データ（［ＨＦデバイス１］、［ＨＦデバイス２］および［ＨＦデバイス３］）だけがトーンアップ（有効化）される。利用可能フラグが「０」に設定されているＢＴ電話機１３に対応する電話帳データ（［ＨＦデバイス４］および［ＨＦデバイス５］）はトーンダウンされる。
【００４６】
図９（ｂ）において、所定の電話帳データ（例えば［ＨＦデバイス２］が選択されたものとする）が選択（タッチ）された際、車載電話機用電話帳データ記憶領域２３に電話帳データが記憶されていない場合、選択された電話帳データが車載電話機用電話帳データ記憶領域２３に転送される。これに対し、所定の電話帳データが選択された際、車載電話機用電話帳データ記憶領域２３に既に電話帳データが記憶されていた場合、データの転送方法（上書き、追加、中止）についての確認がなされる（図９（ｃ）参照）。
【００４７】
図９（ｃ）において、［上書き］ボタン６１がタッチされると、車載電話機用電話帳データ記憶領域２３に記憶されている電話帳データに代えて、選択されたＢＴ電話機１３用の電話帳データ（転送される電話帳データ）が記憶される。すなわち、［上書き］ボタン６１がタッチされた場合、車載電話機用電話帳データ記憶領域２３には、新たに転送された電話帳データだけが記憶された状態となる。また、［追加］ボタン６２がタッチされると、車載電話機用電話帳データ記憶領域２３に記憶されている電話帳データに加えて、選択されたＢＴ電話機１３用の電話帳データが記憶される。すなわち、［追加］ボタン６２がタッチされた場合、車載電話機用電話帳データ記憶領域２３には、既存の電話帳データおよび新たに転送された電話帳データの両方が記憶された状態となる。［中止］ボタン６３がタッチされると、電話帳データの転送処理が中止される。
【００４８】
続いて、車載電話機用電話帳データ記憶領域２３に記憶されている車載電話機４用の電話帳データの利用制限（セキュリティ）機能について説明する。図１０は、上記利用制限機能を設定する際における表示画面の遷移を示している。図示しないメニュー画面から所定の操作が行われることにより、車載電話機４に関する各種制限などを設定するための設定画面が表示される（図１０（ａ）参照）。図１０（ａ）には、車載電話機４の電話番号を表示する自局電話番号表示欄、暗証番号を表示するロックＮｏ．表示欄などが表示されている。図１０（ａ）に示す設定画面では、自動着信拒否機能、発信制限機能、電話帳制限機能などの設定（する／しない）を変更することができるようになっている。図１０（ａ）に表示されていない項目については、右側のスクロールバー７１などを操作することにより表示可能である。
【００４９】
電話帳制限機能は、車載電話機用電話帳データ記憶領域２３に記憶された電話帳データを使用する際に暗証番号の入力を要求するというものである。このような電話帳制限機能を利用することにより、車載電話機４用の電話帳データを第三者に無断で利用されることを防止でき、そのセキュリティを高めることができる。電話帳制限機能の設定方法は以下のとおりである。
【００５０】
すなわち、［電話帳制限］ボタン７２がタッチされると、図１０（ｂ）のような画面表示となる。このとき、［する］がタッチされると、電話帳制限機能が有効化され、［しない］がタッチされると、電話帳制限機能が無効化されることになる。また、［戻る］がタッチされると、電話帳制限機能に関する設定を変更することなく、図１０（ａ）の画面表示に戻る。［する］または［しない］がタッチされた場合、暗証番号（ロックＮｏ．）の入力が要求される（図１０（ｃ）参照）。ここで、正しい暗証番号が入力された上で［完了］ボタン７３がタッチされると、電話帳制限機能の設定が変更された状態で、最初の設定画面に戻る（図１０（ｄ）参照）。このとき、入力された暗証番号が誤ったものである場合、その旨を表すメッセージが表示され、暗証番号の再入力が促される。すなわち、正しい暗証番号が入力されない限り、電話帳制限機能の設定は変更されないようになっている。
【００５１】
上記構成によれば、次のような効果が得られる。
ＢＴ電話機１３がハンズフリー装置２に接続中であり且つ使用対象として選択されている場合、そのＢＴ電話機１３に対応するＢＴ電話機用電話帳データ記憶領域２２に記憶されている電話帳データが利用可能になる。また、車載電話機４が使用対象として選択されている場合、車載電話機用電話帳データ記憶領域２３に記憶されている電話帳データが利用可能になる。そのため、ユーザは、各電話帳データの所望の登録名をタッチ操作により選択するだけで、その登録名に対応付けられた電話番号への発信動作を行うことができる。
【００５２】
ＢＴ電話機用電話帳データ記憶領域２２に記憶された電話帳データに対して利用可能フラグを設け、その利用可能フラグが「１」に設定されたものは、車載電話機４用の電話帳データとして車載電話機用電話帳データ記憶領域２３に転送される。従って、車載電話機４用の電話帳データの登録作業が容易に行えるようになる。また、その電話帳データの数が多い場合であっても、ユーザは利用可能フラグの設定を行うだけでよく、データの転送作業は車載機１側で自動的に行われる。そのため、例えばユーザが手入力などの操作を行うことにより車載電話機４用の電話帳データを登録する場合に比べ、利便性が格段に向上する。
【００５３】
上記したように、ＢＴ電話機１３用の電話帳データは、利用可能フラグが「１」に設定されていない限り、車載電話機用電話帳データ記憶領域２３に転送されない。各ＢＴ電話機１３に対する利用可能フラグの設定は、そのＢＴ電話機１３を所持するユーザにより行われる。従って、ＢＴ電話機用電話帳データ記憶領域２２に記憶された電話帳データ、すなわちＢＴ電話機１３に保存された電話帳データがむやみに利用可能な状態になることを防止でき、そのセキュリティを高めることができる。
【００５４】
利用可能フラグの設定については、ＢＴ電話機１３を登録した後、最初に電話帳機能を利用する際に行われる。ただし、その後も、利用可能フラグの設定変更を行い得るようにした。これにより、例えば、複数のユーザにより車両を共有する場合、各ユーザは、自身が車両を使用する場合には自身が所持するＢＴ電話機１３に対応した電話帳データを車載電話機４用の電話帳データとして利用できるように設定し、そうでない場合には自身が所持するＢＴ電話機１３に対応した電話帳データを車載電話機４用の電話帳データとして利用できないように設定することが可能となる。このようにすれば、自身のＢＴ電話機１３の電話帳データが他のユーザにより利用されることを抑止することができ、そのセキュリティが高まる。
【００５５】
図３に示した電話帳データ転送処理において、利用可能フラグが「１」に設定されたＢＴ電話機１３用の電話帳データを車載電話機用電話帳データ記憶領域２３に転送する際、車載電話機用電話帳データ記憶領域２３が空であるか否かを判断するステップＳ７を設け、空である（ステップＳ７で「ＹＥＳ」となる）ことを条件として上記電話帳データの転送を行うようにした。このようにすれば、自動的に電話帳データが転送されてしまうことにより、車載電話機用電話帳データ記憶領域２３に既に記憶されていた電話帳データが、不用意に変更または消去されてしまう事態の発生を未然に防止することができる。
【００５６】
車載電話機４の電話帳に関する設定において、利用可能フラグが「１」に設定されており、且つ、接続中であるＢＴ電話機１３用の電話帳データを車載電話機用電話帳データ記憶領域２３に転送する際、車載電話機用電話帳データ記憶領域２３が空であれば、そのまま電話帳データの転送が行われる。これに対し、車載電話機用電話帳データ記憶領域２３が空でない場合、データの転送方法（上書き、追加）を確認するようにした。ユーザは、既に車載電話機用電話帳データ記憶領域２３に記憶されている電話帳データが必要ない場合には「上書き」を選択し、必要である場合には「追加」を選択すればよい。このような確認を行うことにより、車載電話機４用の電話帳データについての利便性がさらに高まることになる。
【００５７】
車載電話機４を使用対象とした状態において、車載電話機用電話帳データ記憶領域２３が空である場合に電話帳機能を利用しようとすると、車載電話機４の電話帳に関する設定画面（図８（ｂ）参照）が表示されるようにした。その設定画面からは、電話帳作成を行うための電話帳作成画面や、前述したＢＴ電話機用電話帳データ記憶領域２２からの電話帳データの転送を行うための設定画面などに遷移可能としている。このようにすれば、車載電話機４用の電話帳データが空である場合には、電話帳データの登録をユーザに促すことが可能となる。
【００５８】
また、上記設定画面からは、車載電話機４用の電話帳データを編集するための電話帳編集画面にも遷移可能としている。その電話帳編集画面において、ユーザにより所定の電話帳編集操作が行われると、その操作に応じて車載電話機用電話帳データ記憶領域２３に記憶された電話帳データが編集（変更）される。車載電話機用電話帳データ記憶領域２３に記憶された電話帳データが電話帳データ転送処理によりＢＴ電話機用電話帳データ記憶領域２２から転送されたものである場合、そのデータはＢＴ電話機１３用の電話帳データと同一の内容ではあるが、あくまでもコピーされたものである。そのため、車載電話機４用の電話帳データについて、そのオリジナルであるＢＴ電話機１３用の電話帳データに全く影響を及ぼすことなく編集作業を行うことが可能であるため、このような面からも利便性が向上する。
【００５９】
なお、本発明は上記し且つ図面に記載した実施形態に限定されるものではなく、次のような変形または拡張が可能である。
車載機と外部の携帯電話機との間で通信を行う通信手段としては、ＢＴインターフェース部に限らずともよい。すなわち、車載機と外部の携帯電話機との間の接続は、Ｂｌｕｅｔｏｏｔｈに限らずともよく、他方式の近距離無線通信であってもよいし、あるいは、有線により接続する構成であってもよい。車載機側の通信手段を変更する場合、外部の携帯電話機側の通信手段についても、採用する車載機側の通信手段に対応するものに変更すればよい。また、その際、ハンズフリー通信、電話帳データの転送などを行うための通信プロトコルについても適宜変更すればよい。
【００６０】
車載機１は、車両用のナビゲーション装置と併せた構成でもよい。そのような構成によれば、ナビゲーション装置に搭載される一部の構成（例えば、ディスプレイ装置３、ＢＴインターフェース部６、記憶部８、表示制御部９、タッチ操作入力部１０など）を共通利用することが可能になり、全体としての構成が削減される。これにより、全体としてのコストダウン、サイズダウンなどを図ることができる。
【符号の説明】
【００６１】
図面中、１は車載機、２はハンズフリー装置（ハンズフリー手段）、４はＤＣＭ（車載電話機）、５は制御部（第１電話帳管理手段、第２電話帳管理手段）、６はＢＴインターフェース部（通信手段）、１０はタッチ操作入力部（操作受付手段）、１３はＢＴ対応携帯電話機（携帯電話機）、１８は通信網、２２はＢＴ電話機用電話帳データ記憶領域（第１電話帳記憶手段）、２３は車載電話機用電話帳データ記憶領域（第２電話帳記憶手段）を示す。
【図１】
0005711068.tif 000002
【図２】
0005711068.tif 000003
【図３】
0005711068.tif 000004
【図４】
0005711068.tif 000005
【図５】
0005711068.tif 000006
【図６】
0005711068.tif 000007
【図７】
0005711068.tif 000008
【図８】
0005711068.tif 000009
【図９】
0005711068.tif 000010
【図１０】
0005711068.tif 000011